【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】  メモリ、画面装置、プロセッサ、および無線通信装置の動作についての制御を備えた無線通信装置に広告を提供するソフトウェア製品であって、
前記プロセッサによって実行され、ユーザインタフェースのページを前記画面表示上に表示させると共に、広告マネージャを呼び出すエグゼクティブと、
前記メモリに格納される複数のユーザインタフェースページを含み、該ページの選択されるものは広告である、前記ユーザインタフェースと、
前記プロセッサによって実行され、前記メモリから選択的に広告ページを読み出し、該選択される広告を前記無線通信装置の画面表示上に表示させる前記広告マネージャと、
を備える、ソフトウェア製品。
【請求項２】  複数の広告を格納するためのメモリと、
画面装置と、
前記無線通信装置の機能を制御する動作制御と、
前記メモリから広告を検索すると共に、プログラムロジックを実行するプロセッサと、
前記プロセッサによって実行されるソフトウェア製品であって、
選択されたものが、前記無線通信装置の前記メモリに格納された広告を前記画面表示上に表示させる少なくとも１つのリンクを含む複数のユーザインタフェースページ、および
前記無線通信装置の前記動作制御の選択されるユーザインタフェースページへの直接マッピング、
を有する前記無線通信装置へのユーザインタフェースと、
前記プロセッサによって実行され、選択されるユーザインタフェースのページを前記画面表示上に表示させると共に、広告マネージャを呼び出すエグゼクティブと、
リンクを含む前記ユーザインタフェースページの１つに応答して、前記メモリから選択的に広告ページを読み出し、該選択される広告を前記無線通信装置の画面表示上のユーザインターフェースページに表示させる前記広告マネージャと、
を含むソフトウェア製品と、
を備える、無線通信装置。
【請求項３】  前記広告マネージャは、表示されているユーザインタフェースページに含めるため、前記メモリから広告をランダムに選択する、請求項１または２記載のソフトウェア製品。
【請求項４】  前記広告マネージャは、前記画面表示上に表示するため、前記メモリから広告をランダムに選択する、請求項１または２記載のソフトウェア製品。
【請求項５】  各広告は、広告を表示することができる回数の制限を定義する表示制限と、広告を表示した回数の表示カウントと、を有し、前記広告マネージャは、前記表示カウントが前記表示制限と等しいか、それを超過する場合、広告を表示しない、請求項１または２記載のソフトウェア製品。
【請求項６】  各広告は期限切れ日付を有し、前記広告マネージャは、現在の日付前に発生した期限切れ日付を有する広告を表示しない、請求項１または２記載のソフトウェア製品。
【請求項７】  前記メモリに格納された各広告は、関連した優先度を有し、
前記広告マネージャは、優先度の高い広告ほど、優先度の低い広告よりも頻繁に表示されるように、前記広告の優先度の関数として、表示する広告を選択する、請求項１または２記載のソフトウェア製品。
【請求項８】  前記広告マネージャは、遠隔ソースから広告を受信し、該広告を前記メモリに格納する前に、該広告を認証する、請求項１または２記載のソフトウェア製品。
【請求項９】  前記メモリにおける各広告は、期限切れ日付を含み、前記広告マネージャは、遠隔ソースから受信した新しい広告を格納する前に、最も古い広告を削除する、請求項１または２記載のソフトウェア製品。
【請求項１０】  前記エグゼクティブは、前記無線通信装置のアイドル時間を監視し、前記アイドル時間が所定の閾値に達したことに応答して、前記広告マネージャを呼び出す、請求項１または２記載のソフトウェア製品。
【請求項１１】  前記広告ページはさらに、前記無線装置を動作させる前記制御に応答するよう、前記プロセッサを構成する、請求項１または２記載のユーザインタフェース。
【請求項１２】  前記プロセッサは、
前記広告に関連する電話番号のダイアリング、
前記広告に関連する所定の受信者への予め定義されたテキストを含むメッセージの送信、
前記広告に関連する予め定義されたユニフォームリソースロケータにあるウェブページのフェッチ、
前記広告に関連するサービス提供者によって提供されるサービスへの契約要求を含むメッセージの作成、および該メッセージの送信、
前記広告に関連する情報を含む前記メモリ内の電話帳への、新しいエントリの作成、
からなるアクション群から選択される少なくとも１つのアクションを行うことによって、前記無線装置を動作させる前記制御に応答するよう構成される、請求項１または２記載のユーザインタフェース。
【請求項１３】  無線通信装置のユーザインタフェースのページを通して、広告を提供するコンピュータ実施方法であって、
それぞれ、前記無線通信装置の動作制御に直接マッピングされたユーザインタフェース要素を提供する複数のユーザインタフェースページを前記無線通信装置に格納することと、
前記無線通信装置に複数の広告を格納することと、
ユーザインタフェースページが広告記憶領域へのリファレンスを含むことに応答して、
前記広告記憶領域から格納されている広告を選択的に読み出すことと、
前記広告を前記ユーザインタフェースページに表示することと、
前記ユーザインタフェースページが格納されている広告へのリファレンスを含むことに応答して、
前記メモリから前記広告を選択的に読み出すことと、
前記広告を前記ユーザインタフェースページに表示することと、
を含む、コンピュータ実施方法。
【請求項１４】  格納されている広告を選択することは、
前記広告が先に表示された回数が、該広告を表示可能な回数の表示制限に等しくないあるいは該制限を越えない場合にのみ、格納されている広告を選択することを含む、請求項１３記載の方法。
【請求項１５】  前記広告の１つを選択することは、
現在の日付が、前記格納されている広告の期限切れ日付と同じか、またはそれより後である場合にのみ、格納された広告を選択することを含む、請求項１３記載の方法。
【請求項１６】  遠隔ソースから広告を受信することと、
該広告を認証することと、
をさらに含む、請求項１３記載の方法。
【請求項１７】  前記選択された広告を表示することは、
前記広告に応答するための、前記広告に定義されたアクションを、前記無線通信装置のユーザ選択可能なユーザインタフェース要素と関連付けることを含む、請求項１３記載の方法。
【請求項１８】  ユーザインタフェース要素のユーザ選択を受信することと、
該ユーザインタフェース要素が前記広告に応答するためのアクションに関連付けられていることに応答して、該アクションを発効させることと、
をさらに含む、請求項１７記載の方法。
【請求項１９】  前記広告に定義されるアクションは、電話番号をダイアルすることであり、該アクションを発効させることは、該電話番号をダイアルすることを含む、請求項１８記載の方法。
【請求項２０】  前記広告に定義されるアクションは、予め定義されるテキストを含むメッセージを、所定の受信者に送信することであり、該アクションを発効させることは、該メッセージを送信することを含む、請求項１記載の方法。
【請求項２１】  前記広告に定義されるアクションは、所定のユニフォームリソースロケータにあるウェブページをフェッチすることであり、該アクションを発効させることは、該ウェブページをフェッチすることを含む、請求項１８記載の方法。
【請求項２２】  前記広告に定義されるアクションは、前記無線通信装置の電話帳データ記憶機構内に所定のデータで、新しいエントリを作成することであり、該アクションを発効させることは、該電話帳エントリを作成することを含む、請求項１８記載の方法。
【請求項２３】  前記ユーザインタフェースがアイドルである時間量を監視することをさらに含む、請求項１３記載のコンピュータ実施方法。
【請求項２４】  前記格納されている広告は、前記ユーザインタフェースが所定の時間量アイドルであったことに応答して、前記ユーザインタフェースページ上に表示される、請求項２３記載のコンピュータ実施方法。
【請求項２５】  前記広告が認証されたことに応答して、前記広告を前記無線通信装置に格納することをさらに含む、請求項１６記載の方法。
【請求項２６】  前記広告が認証されないことに応答して、前記広告を破棄することをさらに含む、請求項１６記載の方法。
【請求項２７】  前記ユーザインタフェース要素のユーザ選択は、前記無線通信装置の制御を操作することで、受信される、請求項１８記載の方法。
【請求項２８】  前記広告において定義される前記アクションは、サービス提供者によって提供されるサービスを契約する要求を含むメッセージを送信することであり、該アクションの発効は、前記メッセージの送信を含む、請求項１８記載の方法。
【請求項２９】  無線通信装置のユーザインタフェースページを通して、広告を提供するコンピュータ実施方法であって、
複数のバナー広告を前記無線通信装置に格納することと、
前記無線通信装置の前記ユーザインタフェースによって表示されるコンテンツのページを受信することと、
前記ページがバナー広告を含むか否かを決定することと、
前記格納されたバナー広告の１つを選択することと、
該選択されたバナー広告を含む前記ページを表示することと、
前記選択されたバナー広告への応答するためのアクションを、前記無線通信装置のユーザ選択可能なユーザインタフェース要素と関連付けることと、
を含む、コンピュータ実施方法。
【請求項３０】  前記格納されているバナー広告の１つを選択することは、
前記格納されたバナー広告の１つをランダムに選択することを含む、請求項２９記載の方法。
【請求項３１】  前記バナー広告を表示することは、
前記無線通信装置のアイドル時間を監視することと、
該アイドル時間が所定の閾値に達することに応答して、前記バナー広告を前記表示ページを横切ってスクロールすることで、前記バナー広告を表示することと、
を含む、請求項２９記載の方法。
【請求項３２】  ユーザインタフェース要素のユーザ選択を受信することと、
該ユーザインタフェース要素が前記広告に応答するためのアクションに関連付けられていることに応答して、該アクションを発効させることと、
をさらに含む、請求項２９記載の方法。
【請求項３３】  前記広告に定義されるアクションは、電話番号をダイアルすることであり、該アクションを発効させることは、該電話番号をダイアルすることを含む、請求項３２記載の方法。
【請求項３４】  前記広告に定義されるアクションは、予め定義されたテキストを含むメッセージを、所定の受信者に送信することであり、該アクションを発効させることは、該メッセージを送信することを含む、請求項３２記載の方法。
【請求項３５】  前記広告に定義されるアクションは、所定のユニフォームリソースロケータにあるウェブページをフェッチすることであり、該アクションを発効させることは、該ウェブページをフェッチすることを含む、請求項３２記載の方法。
【請求項３６】  前記広告に定義されるアクションは、前記無線通信装置の電話帳データ記憶機構内に所定のデータで、新しいエントリを作成することであり、該アクションを発効させることは、該電話帳エントリを作成することを含む、請求項３２記載の方法。
【請求項３７】  前記広告において定義される前記アクションは、サービス提供者によって提供されるサービスを契約する要求を含むメッセージを送信することであり、該アクションを発効することは、前記メッセージを送信することを含む、請求項３２記載の方法。